(57)【要約】【課題】例えば、液晶パネルの表示面に表示される画像の色むらを低減する。【解決手段】バックライト１５９は、互いに異なる光源色光を出射する複数の光源１５１Ｒ、１５１Ｇ及び１５１Ｂ、並びにこれら光源色光から構成される光源光を液晶装置１に向かって反射するリフレクタ１５２を備えて構成されている。複数の光源１５１Ｒ、１５１Ｇ、及び１５１Ｂによれば、各光源から出射される光源色光である赤色光、緑色光、及び青色光の夫々の光強度を調整可能であり、絞り機構１５０による調整光の光量の調整と、液晶装置１の画素部における光の透過量の調整とを行う前段階で、光源光に含まれる各光源色光の光強度を調整可能である。【選択図】図１
2009109706.tif 000002
【特許請求の範囲】
【請求項１】
基板上の表示領域を構成する複数の部分領域の一の部分領域に形成された複数の第１画素部と、
複数の部分領域のうち前記一の部分領域と異なる他の部分領域に形成された複数の第２画素部と、
前記複数の第１画素部に供給される複数の第１画素信号を解析し、前記一の部分領域から出射されるべき第１出射光を構成する複数種の第１色光の夫々の光強度を特定する特定手段と、
前記複数種の第１色光の夫々に対応する複数種の光源色光から構成される光源光を、前記複数種の光源色光の夫々の光強度が前記複数種の第１色光の夫々の光強度に基づいて調整された調整光として、前記複数の第１画素部に照射可能な光源手段と、
前記複数種の第１色光の夫々の光強度が、前記他の部分領域から出射される第２出射光を構成し、且つ前記複数種の第１色光の夫々に対応する複数種の第２色光の夫々の光強度に近づくように、前記複数の第１画像信号を補正可能な補正手段と
を備えたことを特徴とする電気光学装置。
【請求項２】
前記複数の第１画素部の夫々は、前記調整光を変調可能な液晶素子を有し、
前記補正手段は、前記液晶素子に印加される印加電圧と、前記調整光のうち前記液晶素子を透過する透過光の透過率との相互関係を規定する電圧・透過率特性線のうち前記印加電圧に対する前記透過率の変化率が直線的に変化する範囲において前記液晶素子が駆動されるように、前記複数の第１画像信号の夫々を補正すること
を特徴とする請求項１に記載の電気光学装置。
【請求項３】
前記光源手段は、前記複数種の光源色光の夫々を出射する複数の光源と、前記調整光のうち前記複数の第１画素部に照射される第１照射光の光量を前記複数の第２画素部に照射される第２照射光とは独立して調整可能な光量調整手段とを有すること
を特徴とする請求項１又は２に記載の電気光学装置。
【請求項４】
前記光源手段は、前記複数種の光源色光の夫々を出射する複数の光源を各々有し、且つ前記複数の部分領域毎に設けられた複数の光源光生成装置と、前記複数種の第１色光の夫々の光強度が前記複数種の第２色光の夫々の光強度に近づくように、前記複数の光源光生成装置のうち前記一の部分領域に対応する光源光生成装置を制御可能な制御手段とを有すること
を特徴とする請求項１又は２に記載の電気光学装置。
【請求項５】
基板上の表示領域を構成する複数の部分領域の一の部分領域を構成しており、互いに異なる複数の第１色光を出射する複数の第１光源を有する複数の第１画素部と、
複数の部分領域のうち前記一の部分領域と異なる他の部分領域を構成しており、互いにに異なる複数の第２色光を出射する複数の第２光源を有する複数の第２画素部と、
前記複数の第１画素部に供給される複数の第１画素信号を解析し、前記一の部分領域から出射されるべき第１出射光に含まれる複数種の第１色光の夫々の光強度を特定する特定手段と、
前記第１出射光に含まれる複数種の第１色光の夫々の光強度が、前記他の部分領域から出射される第２出射光を構成し、且つ前記複数種の第１色光の夫々に対応する複数種の第２色光の夫々の光強度に近づくように、前記複数の第１画像信号を補正可能な補正手段と
を備えたことを特徴とする電気光学装置。
【請求項６】
請求項１から５の何れか一項に記載の電気光学装置を具備してなること
を特徴とする電子機器。
【発明の詳細な説明】
【技術分野】
【０００１】
本発明は、例えば、プロジェクタ等の投写型表示装置のライトバルブとして用いることが可能な液晶装置等の電気光学装置、及びそのような電気光学装置を具備してなる投写型表示装置等の電子機器の技術分野に関する。
【背景技術】
【０００２】
この種の電気光学装置を具備してなるプロジェクタ等の投写型表示装置では、光学系を構成する様々な光学要素で生じる光漏れや迷光のため、充分なコントラストが得られない。つまり、表示できる明るさの範囲であるダイナミックレンジが狭く、陰極線管（Ｃａｔｈｏｄｅ Ｒａｙ Ｔｕｂｅ：ＣＲＴ）を用いた既存の映像モニタと比較すると、画像品位が劣ってしまう問題点がある。また、各種の画像信号処理により画像品位の向上を図ろうとしても、ダイナミックレンジが固定されているために、充分な効果を発揮することができない問題点がある。これら問題点を解決するための解決策の一例として、言い換えればダイナミックレンジを拡大する方法の一例として、画像信号に応じて、光変調手段として用いられるライトバルブ等の電気光学装置に入射させる光量を変化させる方法が考えられる。
【０００３】
しかしながら、光源が白色光源である場合、白色光源の発光スペクトルの変化は複雑であり、各色成分、即ち発光スペクトルを補正するための大規模な補正回路が必要となる。したがって、ライトバルブ等の電気光学装置を駆動するための駆動回路の回路構成が煩雑化してしまう問題点がある。また、表示領域に表示される画像の色分布に偏りがある場合、白色光源から出射される光源光の発光スペクトルのみを調整するだけでは画像の色合いを画像信号に対応した狙いの色合いに設定することが困難になる問題点がある。
【０００４】
そこで、特許文献１は、光源の出力制御による調光を効率よく行うことができ、好ましくは画像の色分布に応じて光源光を調光可能な表示装置、及びその調光方法の一例を開示している。
【０００５】
【特許文献１】特開２００４−３２５６２９号公報
【発明の開示】
【発明が解決しようとする課題】
【０００６】
しかしながら、特許文献１に開示された技術によれば、表示領域に表示される画像の各部分の色合いを画像信号に応じて十分に再現することが困難となる問題点がある。より具体的には、例えば、画像を構成する各部分画像における色合いは、光源光を構成する赤色光、緑色光、及び青色光等の複数種の色光の夫々の発光スペクトルのばらつき、即ち、表示領域内の複数の部分領域に照射される光源光相互の発光スペクトルのばらつきにも依存し、複数の部分領域に渡って一様な色合いで画像を表示しようとしても、複数の部分領域相互で画像に色むらが生じてしまう問題点がある。
【０００７】
加えて、赤色光、緑色光、及び青色光等の複数種の色光から構成される白色光が光源光として画素部に照射された場合、例えば、当該画素部に赤色を表示させようとしても、緑色光、或いは青色光等の他の色光が赤色光と共に画素部から出射されてしまい、表示領域に表示される画像のうち部分領域に表示される画像部分の色合いの色純度を高めることが技術的に困難となる問題点がある。
【０００８】
よって、本発明は上記問題点等に鑑みてなされたものであり、例えば、画像信号に応じた色合いで画像を表示でき、且つ画像の各部における色むらを低減可能な液晶装置等の電気光学装置、及びそのような電気光学装置をライトバルブ等の光変調手段として用いたプロジェクタ等の電子機器を提供することを課題とする。
【課題を解決するための手段】
【０００９】
本発明の第１の発明に係る電気光学装置は上記課題を解決するために、基板上の表示領域を構成する複数の部分領域の一の部分領域に形成された複数の第１画素部と、複数の部分領域のうち前記一の部分領域と異なる他の部分領域に形成された複数の第２画素部と、前記複数の第１画素部に供給される複数の第１画素信号を解析し、前記一の部分領域から出射されるべき第１出射光を構成する複数種の第１色光の夫々の光強度を特定する特定手段と、前記複数種の第１色光の夫々に対応する複数種の光源色光から構成される光源光を、前記複数種の光源色光の夫々の光強度が前記複数種の第１色光の夫々の光強度に基づいて調整された調整光として、前記複数の第１画素部に照射可能な光源手段と、前記複数種の第１色光の夫々の光強度が、前記他の部分領域から出射される第２出射光を構成し、且つ前記複数種の第１色光の夫々に対応する複数種の第２色光の夫々の光強度に近づくように、前記複数の第１画像信号を補正可能な補正手段とを備える。
【００１０】
本発明の第１の発明に係る電気光学装置によれば、複数の第１画素部及び複数の第２画素部は、例えば、画素スイッチング用素子等の半導体素子が形成されたＴＦＴアレイ基板上の表示領域において当該表示領域の各々一部を構成する一の部分領域及び他の部分領域に形成されている。これら複数の第１画素部によれば、例えば、画像のカラー表示に用いられる赤色光、緑色光、及び青色光の各色光に対応してこれら色光を出射可能である。このような複数の第１画素部は、例えば、赤色光、緑色光及び青色光の夫々の色光を出射する３つの第１画素部の一群から一の部分領域が構成されていてもよいし、これら３つの第１画素部を一群とする複数の画素部群から一の部分領域が構成されていてもよい。また、他の部分領域も、複数の第１画素部による一の部分領域の構成と同様にして構成されていてもよい。
【００１１】
特定手段は、前記複数の第１画素部に供給される複数の第１画素信号を解析する。より具体的には、複数の第１画素部の夫々がこれら複数の第１画像信号の夫々に基づいて駆動されるため、一の部分領域から当該複数の第１画像信号に基づいて出射されるべき第１出射光を構成する複数種の第１色光の夫々の光強度、即ち、これら複数種の第１色光のスペクトルは、一の部分領域から当該複数種の第１色光が出射されるに先んじて、複数の第１画像信号が解析されることによって特定される。特定手段は、例えば、複数の第１画像信号を解析する。より具体的には、一の部分領域における複数の第１画素部の夫々から出射される光について、階調値を横軸、輝度を縦軸に取ったヒストグラムを作成し、当該ヒストグラムに基づいて、一の部分領域における複数種の第１色光の夫々の光強度を特定する。
【００１２】
光源手段は、前記複数種の第１色光の夫々に対応する複数種の光源色光から構成される光源光を、前記複数種の光源色光の夫々の光強度が前記複数種の第１色光の夫々の光強度に基づいて調整された調整光として、前記複数の第１画素部に照射可能である。
【００１３】
複数種の光源色光は、例えば、互いに異なる波長を有する赤色光、緑色光、及び青色光である。光源光は、例えば、任意の光強度を各々有する赤色光、緑色光、及び青色光等の複数種の光源色光から構成される混色光である。このような光源光は、各光源色光を発生するＬＥＤ等の光源からそのまま複数の第１画素部に出射されるのではなく、前記複数種の第１色光の夫々の光強度に基づいて、光源手段によって調整された調整光として複数の第１画素部に照射される。より具体的には、例えば、特定手段によって特定された複数種の第１色光のうち一の第１色光の光強度が、他の第１色光の光強度より大きいと解析された場合、光源手段は、第１出射光に含まれる一の第１色光が他の第１色光の光強度より大きくなるように、複数種の光源色光の光強度の夫々を調整する。
【００１４】
したがって、光源手段によれば、光源光を構成する複数種の光源色光の夫々の光強度を調整しない場合に比べて、複数の第１画像信号に基づいて本来一の部分領域から出射されるべき第１出射光に近いスペクトルを有する調整光を複数の第１画素部に照射可能である。より具体的には、例えば、第１出射光を構成する複数種の第１色光の一の第１色光の一例である赤色光の光強度が、緑色光及び青色光等の他の第１色光の光強度より大きく、第１出射光によって一の部分領域に赤色の部分画像が表示されるべき場合には、予め複数の第１画像信号を解析した解析結果に基づいて、他の色光の光強度が高められた赤色光を含む光源光が調整光として複数の第１画素部に照射される。即ち、一の部分領域に単色の第１出射光が出射されるべきである場合、当該単色に対応する第１色光が複数の第１画素部を介して出射されるように、予めこれら複数の第１画素部に照射される光源光が、調整光として、即ち複数種の光源色光の夫々の光強度が調整された光として複数の第１画素部に照射される。
【００１５】
補正手段は、前記複数種の第１色光の夫々の光強度が、前記他の部分領域から出射される第２出射光を構成し、且つ前記複数種の第１色光の夫々に対応する複数種の第２色光の夫々の光強度に近づくように、前記複数の第１画像信号を補正可能である。
【００１６】
第２出射光は、複数種の第１色光の夫々に対応する複数種の第２色光から構成されているため、例えば、複数種の第１色光が赤色光、緑色光及び青色光である場合、他の部分領域に表示可能な部分画像、即ち表示領域に表示される画像のうち他の部分画像に表示される部分も、一の部分領域に表示される部分画像と同様にカラー表示可能である。ここで、例えば、一の部分領域及び他の部分領域の夫々に表示される部分画像が、複数の第１画素部と、複数の第２画素部に供給される複数の画像信号とに基づいて、互いに同じ色合いで表示されるべき部分画像である場合、より具体的には、例えば、一の部分領域及び他の部分領域が相互に隣り合っており、これら部分画像に渡って同じ色合いの一様な部分画像が表示されるべきである場合、複数種の第１色光の夫々の光強度が複数種の第２色光の夫々の光強度に近づくように、複数の第１画像信号が補正されることによって、一の部分領域及び他の部分領域の夫々に表示される部分画像相互の色むらが低減可能になり、表示領域に表示される画像の表示品位を高めることが可能になる。
【００１７】
加えて、光源手段から光源光がそのまま複数の第１画素部に照射されるのではなく、調整光として照射されるため、複数の第１画像信号を補正するのみ、或いは光源光を調整光として複数の第１画素部に照射するのみに比べて、複数の第１画像信号に基づいて本来出射されるべき第１出射光に近い色合いの光が一の部分画像から出射可能であり、一の部分領域及び他の部分領域の夫々に表示される部分画像相互に生じる色むらをより効果的に低減可能である。
【００１８】
よって、本発明の第１の発明に係る電気光学装置によれば、一の部分領域に表示される部分画像の色合いを複数の第１画像信号に基づいて表示されるべき本来の部分画像の色合に近づけることができ、一の部分領域及び他の部分領域に渡って表示される部分画像のむらを低減可能である。特に、本発明に係る電気光学装置によれば、表示領域全体で画像の色合いを調整するのではなく、表示領域を構成する複数の部分領域の夫々において当該部分画像の夫々に表示される部分画像の色合いを調整できることから、より細かい色合いの調整が可能である。したがって、本発明の第１の発明に係る電気光学装置によれば、単に第１画像信号を補正する場合のみ、或いは、光源光を調整する場合のみに比べて、高品位の画像を表示領域に表示できる。
【００１９】
本発明の第１の発明に係る電気光学装置の一の態様では、前記複数の第１画素部の夫々は、前記調整光を変調可能な液晶素子を有し、前記補正手段は、前記液晶素子に印加される印加電圧と、前記調整光のうち前記液晶素子を透過する透過光の透過率との相互関係を規定する電圧・透過率特性線のうち前記印加電圧に対する前記透過率の変化率が直線的に変化する範囲において前記液晶素子が駆動されるように、前記複数の第１画像信号の夫々を補正してもよい。
【００２０】
この態様によれば、液晶素子は、第１画像信号に応じて第１画素部において当該液晶素子に印加される印加電圧によって駆動され、調整光を変調する。補正手段は、前記調整光のうち前記液晶素子を透過する透過光の透過率との相互関係を規定する電圧・透過率特性線、より具体的には、印加電圧（Ｖ）に応じて液晶が配向する配向状態によって規定される印加電圧に対する透過率（Ｔ）の特性線（即ち、Ｖ−Ｔ曲線）のうち、印加電圧に対して透過率が直線的に変化する範囲で第１画素部における調整光の透過率が制御可能なように、複数の第１画像信号を補正する。
【００２１】
この態様によれば、電圧・透過率特性線上において、当該透過率が印加電圧に対して直線的に変化する範囲の両端側の範囲、より具体的には、印加電圧に対して液晶の配向が飽和してしまう範囲を避ける当該直線的に変化する範囲で、第１画素部における透過率の調整が可能であり、補正された第１画像信号に基づいて、第１画像信号に基づいて表示されるべき部分画像の色合いに近い色合いで当該部分画像を表示可能である。
【００２２】
本発明の第１の発明に係る電気光学装置の他の態様では、前記光源手段は、前記複数種の光源色光の夫々を出射する複数の光源と、前記調整光のうち前記複数の第１画素部に照射される第１照射光の光量を前記複数の第２画素部に照射される第２照射光とは独立して調整可能な光量調整手段とを有していてもよい。
【００２３】
この態様によれば、複数の光源は、例えば、赤色光、緑色光及び青色光等の複数種の光源色光の夫々を出射可能なＬＥＤ等の発光体である。このような複数の光源は、例えば、表示領域全体に対して一組設けられており、これら複数の光源から出射された光源光のうち複数の第１画素部に向かって照射される光が第１照射光であり、複数の第２画素部に向かって照射される光が第２照射光である。
【００２４】
第１照射光は、部分領域毎に設けられ、且つ光量を絞ることが可能な絞り機構等の光量調整手段によって調整された後、一の部分領域を構成する複数の第１画素部に照射される。特に、この態様によれば、光量調整手段は、複数の第２画素部に照射される第２照射光とは独立して光量が調整可能であるため、例えば、一の部分領域から照射される第１出射光を構成する複数種の第１色光のうち、赤色光の光強度が他の緑色光及び青色光の光強度より大きい値で出射されるべき場合、即ち、一の部分領域に赤色、或いは赤みがかった色の部分画像が表示される場合には、赤色光の光強度が相対的に大きくなるように、他の緑色光及び青色光の夫々の光量が絞られる。このようにして光量が他の第１色光より相対的に高められた一の第１色光は、複数の第１画素部のうち当該一の第１色光を変調する第１画素部を介して変調された後、第１出射光の一部として出射される。尚、他の部分領域でも、一の部分領域と同様に、第２照射光の光量、より具体的には、第２照射光に含まれる複数種の光源色光のうち所定の光源色光が他の光源色光に比べて、優先的に複数の第２画素部に照射されるように、第２照射光の光量に対する絞り量が調整されていてもよい。
【００２５】
したがって、この態様によれば、複数の部分領域毎に照射光の絞り量を調整可能であるため、各部分領域に表示されるべき部分画像の色合いに近い色合いで部分画像を表示可能である。
【００２６】
本発明の第１の発明に係る電気光学装置の他の態様では、前記光源手段は、前記複数種の光源色光の夫々を出射する複数の光源を各々有し、且つ前記複数の部分領域毎に設けられた複数の光源光生成装置と、前記複数種の第１色光の夫々の光強度が前記複数種の第２色光の夫々の光強度に近づくように、前記複数の光源光生成装置のうち前記一の部分領域に対応する光源光生成装置を制御可能な制御手段とを有していてもよい。
【００２７】
この態様によれば、光源光生成装置は、赤色光、緑色光及び青色光等の複数種の光源色光の夫々を出射するＬＥＤ等の複数の光源を一組有している。このような光源光生成装置は、複数の部分領域に対応するように、より具体的には、複数の部分領域の夫々に向かって光源光を出射可能なように複数の部分領域毎に設けられている。
【００２８】
制御手段は、前記複数種の第１色光の夫々の光強度が前記複数種の第２色光の夫々の光強度に近づくように、前記複数の光源光生成装置のうち前記一の部分領域に対応する光源光生成装置を制御可能である。したがって、この態様によれば、各部分領域の夫々に照射される照射光を制御回路等の制御手段によって制御可能であり、各部分領域において表示される部分画像の色合いを各画像信号に応じて表示されるべき部分画像の色合いに近い色合いで表示できる。
【００２９】
加えて、前記複数種の第１色光の夫々の光強度が前記複数種の第２色光の夫々の光強度に近づくように、前記複数の光源光生成装置のうち前記一の部分領域に対応する光源光生成装置が制御されるため、一の部分領域及び他の部分領域の夫々に同じ色合いの部分画像が表示されるべき場合でも、一の部分領域及び他の部分領域に渡って表示される部分画像をこれら部分領域に渡って一様な色合いで表示可能である。
【００３０】
本発明の第２の発明に係る電気光学装置は上記課題を解決するために、基板上の表示領域を構成する複数の部分領域の一の部分領域を構成しており、互いに異なる複数の第１色光を出射する複数の第１光源を有する複数の第１画素部と、複数の部分領域のうち前記一の部分領域と異なる他の部分領域を構成しており、互いにに異なる複数の第２色光を出射する複数の第２光源を有する複数の第２画素部と、前記複数の第１画素部に供給される複数の第１画素信号を解析し、前記一の部分領域から出射されるべき第１出射光に含まれる複数種の第１色光の夫々の光強度を特定する特定手段と、前記第１出射光に含まれる複数種の第１色光の夫々の光強度が、前記他の部分領域から出射される第２出射光を構成し、且つ前記複数種の第１色光の夫々に対応する複数種の第２色光の夫々の光強度に近づくように、前記複数の第１画像信号を補正可能な補正手段とを備える。
【００３１】
本発明の第２の発明に係る電気光学装置によれば、複数の第１画素部及び複数の第２画素部が表示領域において互いに異なる一の部分領域及び他の部分領域を構成している。このような複数の第１画素部及び複数の第２画素部の夫々は、例えば、赤色光、緑色光及び青色光等の互いに異なる複数の第１色光及び互いに異なる複数の第２色光の夫々を出射する複数の第１光源及び複数の第２光源を有している。このような第１光源及び第２光源は、例えば、有機ＥＬ素子等の自発光光源であり、連続的に電流量を調整可能な駆動電流に応じて、発光量、言い換えれば、光源から出射される光の光強度を連続的に調整可能である。複数の第１画素部は、赤色光、緑色光及び青色光の夫々を出射する３つの第１画素部が一組の画素部群を構成し当該画素部群が一の部分領域を構成していてよいし、一つの画素部群によって一部分領域が構成されていてもよい。複数の第２画素部も、複数の第１画素部と同様に、他の部分領域を構成していればよい。
【００３２】
特定手段は、上述の第１の発明に係る電気光学装置と同様に、前記複数の第１画素部に供給される複数の第１画素信号を解析する。
【００３３】
補正手段は、上述の第１の発明に係る前記複数種の第１色光の夫々の光強度が、前記他の部分領域から出射される第２出射光を構成し、且つ前記複数種の第１色光の夫々に対応する複数種の第２色光の夫々の光強度に近づくように、前記複数の第１画像信号を補正可能である。
【００３４】
したがって、本発明の第２の発明に係る電気光学装置によれば、上述の第１の発明に係る電気光学装置と同様に、一の部分領域及び他の部分領域の夫々に表示される部分画像相互の色むらが低減可能になり、表示領域に表示される画像の表示品位を高めることが可能になる。
【００３５】
加えて、複数の第１画像信号に基づいて本来出射されるべき第１出射光に近い色合いの光が一の部分画像から出射可能であり、一の部分領域及び他の部分領域の夫々に表示される部分画像相互に生じる色むらをより効果的に低減可能である。
【００３６】
よって、本発明の第２の発明に係る電気光学装置によれば、一の部分領域に表示される部分画像の色合いを複数の第１画像信号に基づいて表示されるべき本来の部分画像の色合に近づけることができることに加え、一の部分領域及び他の部分領域に渡って表示される部分画像の色むらを低減可能である。特に、本発明の第２の発明に係る電気光学装置によれば、上述の第１の発明に係る電気光学装置と同様に、表示領域全体で画像の色合いを調整するのではなく、表示領域を構成する複数の部分領域の夫々において当該部分領域の夫々に表示される部分画像の色合いを調整できることから、より細かい色合いの調整が可能であり、高品位の画像を表示領域に表示できる。
【００３７】
本発明に係る電子機器は上記課題を解決するために、上述した本発明の電気光学装置を備えている。
【００３８】
本発明に係る電子機器によれば、上述した本発明に係る電気光学装置を具備してなるので、色再現性、即ち画像信号に応じて表示されるべき画像の色合いに近い色合いの画像を表示可能な、投射型表示装置、携帯電話、電子手帳、ワードプロセッサ、ビューファインダ型又はモニタ直視型のビデオテープレコーダ、ワークステーション、テレビ電話、ＰＯＳ端末、タッチパネルなどの各種電子機器を実現できる。また、本発明に係る電子機器として、例えば電子ペーパなどの電気泳動装置等も実現することが可能である。
【００３９】
本発明のこのような作用及び他の利得は次に説明する実施形態から明らかにされる。
【発明を実施するための最良の形態】
【００４０】
以下、図面を参照しながら本発明に係る電気光学装置及び電子機器の各実施形態を説明する。
【００４１】
（第１実施形態）
先ず、図１乃至図７を参照しながら、本発明の第１の発明に係る電気光学装置及びそのような電気光学装置を具備してなる電子機器の各実施形態を説明する。図１は、本発明の第１の発明に係る電気光学装置の一実施形態である液晶装置モジュール１００を備えて構成されたプロジェクタ１２０の構成を図式的に示した図である。図２は、液晶装置モジュール１００が備える液晶装置１の構成の概略を示した平面図であり、図３は、図２のＩＩＩ−ＩＩＩ´断面図である。図４は、液晶装置１の画像表示領域を構成する画素部の回路構成を示した回路図である。図５は、液晶装置モジュール１００の電気的な構成を示したブロック図である。図６は、液晶に印加される印加電圧と、画素部を透過する光の透過率との相互関係を示した特性図である。
【００４２】
図１において、プロジェクタ１２０は、本発明の第１の発明に係る「電気光学装置」の一例である液晶装置モジュール１００、及び投射レンズ系１５４を備えて構成されている。プロジェクタ１２０は、液晶装置モジュール１００から出射された光を投射レンズ系１５４を介してスクリーン１５８に投射し、スクリーン１５８に画像を表示する。
【００４３】
液晶装置モジュール１００は、液晶装置１、複数の絞り機構１５０、及びバックライト１５９を備えて構成されている。
【００４４】
バックライト１５９は、互いに異なる光源色光を出射する複数の光源１５１Ｒ、１５１Ｇ及び１５１Ｂ、並びにこれら光源色光から構成される光源光を液晶装置１に向かって反射するリフレクタ１５２を備えて構成されている。複数の光源１５１Ｒ、１５１Ｇ及び１５１Ｂの夫々は、不図示の制御装置の制御下で動作する電源から供給される駆動電流によって各々が赤色光、緑色光、及び青色光の夫々の光源色光を出射するＬＥＤ等の自発光素子である。複数の光源１５１Ｒ、１５１Ｇ及び１５１Ｂに供給される駆動電流は、上述の制御装置による制御下で動作する電源によって調整される。より具体的には、後述するように、画像信号に基づいて液晶装置１の画素部から出射されるべき出射光が出射可能となるように、複数の光源１５１Ｒ、１５１Ｇ及び１５１Ｂの夫々に供給される駆動電流が調整される。したがって、複数の光源１５１Ｒ、１５１Ｇ、及び１５１Ｂの夫々から出射される光源色光から構成される光源光は、プロジェクタ１２０の動作時において、その光強度が調整され、調整光Ｌ１としてバックライト１５９から液晶装置１に向かって出射される。
【００４５】
複数の光源１５１Ｒ、１５１Ｇ、及び１５１Ｂによれば、各光源から出射される光源色光である赤色光、緑色光、及び青色光の夫々の光強度を調整可能であり、絞り機構１５０による調整光Ｌ１の光量の調整と、液晶装置１の画素部における光の透過量の調整とを行う前段階で、光源光に含まれる各光源色光の光強度を調整可能である。
【００４６】
複数の絞り機構１５０は、本発明の「光量調整手段」の一例であり、バックライト１５９と共に、本発明の「光源手段」の一例を構成している。複数の絞り機構１５０は、不図示の制御装置の制御下で調整光Ｌ１の光量を調整し、液晶装置１に調整光Ｌ１を照射光Ｌ２として照射する。
【００４７】
尚、後述するように、複数の絞り機構１５０の夫々は、液晶装置１の画像表示領域を構成する複数の部分領域の夫々に対応して配置されており、調整光Ｌ１のうちこれら複数の部分領域の夫々に照射される照射光Ｌ２の夫々を互いに独立して調整可能なように構成されている。
【００４８】
次に、図２及び図３を参照しながら、液晶装置１の全体構成を説明する。ここでは、液晶装置１の一例として、ＴＦＴアクティブマトリクス駆動方式で駆動される駆動回路内蔵型の液晶パネルを挙げる。
【００４９】
図２及び図３において、液晶装置１では、ＴＦＴアレイ基板１０と、ＴＦＴアレイ基板１０に対向配置された対向基板２０とを備えている。ＴＦＴアレイ基板１０及び対向基板２０間には液晶層５０が封入されており、ＴＦＴアレイ基板１０及び対向基板２０は、本発明の「表示領域」の典型例である画像表示領域１０ａの周囲に位置するシール領域に設けられたシール材５２を介して相互に接着されている。
【００５０】
画像表示領域１０ａは、複数の部分領域１６０から構成されている。複数の部分領域１６０の夫々は、複数の画素部から構成されており、各画素部から出射された光に応じて、カラー表示が可能である。プロジェクタ１２０の動作時には、複数の部分領域１６０の夫々に表示される部分画像によって画像表示領域１０ａに表示された画像がスクリーン１５３に投射される。
【００５１】
尚、照射光Ｌ２（図１参照）は、液晶装置１から見てＴＦＴアレイ基板１０側から液晶装置１に照射される。このような照射光Ｌ２のうち、複数の部分領域１６０の一の部分領域に照射される光が、本発明の「第１照射光」の一例であり、複数の部分領域１６０のうち当該一の部分領域と異なる他の部分領域に照射される光が、本発明の「第２照射光」の一例である。
【００５２】
シール材５２は、両基板を貼り合わせるための、例えば紫外線硬化樹脂、熱硬化樹脂等からなり、製造プロセスにおいてＴＦＴアレイ基板１０上に塗布された後、紫外線照射、加熱等により硬化させられたものである。シール材５２中には、ＴＦＴアレイ基板１０と対向基板２０との間隔（基板間ギャップ）を所定値とするためのグラスファイバ或いはガラスビーズ等のギャップ材が散布されている。
【００５３】
シール材５２が配置されたシール領域の内側に並行して、画像表示領域１０ａの額縁領域を規定する遮光性の額縁遮光膜５３が、対向基板２０側に設けられている。但し、このような額縁遮光膜５３の一部又は全部は、ＴＦＴアレイ基板１０側に内蔵遮光膜として設けられてもよい。
【００５４】
画像表示領域１０ａの周辺に位置する周辺領域のうち、シール材５２が配置されたシール領域の外側に位置する領域には、データ線駆動回路１０１及び外部回路接続端子１０２がＴＦＴアレイ基板１０の一辺に沿って設けられている。また、走査線駆動回路１０４は、この一辺に隣接する２辺のいずれかに沿い、且つ、前記額縁遮光膜５３に覆われるようにして設けられている。尚、走査線駆動回路１０４を、データ線駆動回路１０１及び外部回路接続端子１０２が設けられたＴＦＴアレイ基板１０の一辺に隣接する２辺に沿って設けるようにしてもよい。この場合、ＴＦＴアレイ基板１０の残る一辺に沿って設けられた複数の配線によって、二つの走査線駆動回路１０４は互いに接続される。
【００５５】
対向基板２０の４つのコーナー部には、両基板間の上下導通端子として機能する上下導通材１０６が配置されている。他方、ＴＦＴアレイ基板１０にはこれらのコーナー部に対向する領域において上下導通端子が設けられている。これら上下導通端子及び上下導通材１０６により、ＴＦＴアレイ基板１０及び対向基板２０間で電気的な導通をとることができる。
【００５６】
図３において、ＴＦＴアレイ基板１０上には、画素スイッチング用のＴＦＴや走査線、データ線等の配線が形成された後の画素電極９ａ上に、配向膜が形成されている。他方、対向基板２０上には、対向電極２１の他、格子状又はストライプ状の遮光膜２３、更には最上層部分に配向膜が形成されている。液晶層５０は、例えば一種又は数種類のネマティック液晶を混合した液晶からなり、これら一対の配向膜間で、所定の配向状態をとる。
【００５７】
尚、図２及び図３には図示しないが、ＴＦＴアレイ基板１０上には、データ線駆動回路１０１や走査線駆動回路１０４等に加えて、画像信号線上の画像信号をサンプリングしてデータ線に供給するサンプリング回路，並びに複数のデータ線に所定電圧レベルのプリチャージ信号を画像信号に先行して各々供給するプリチャージ回路が形成されていてもよい。本実施形態では、サンプリング回路やプリチャージ回路のほか、製造途中や出荷時の当該液晶装置１の品質、欠陥等を検査するための検査回路等が形成されていてもよい。
【００５８】
次に、図４を参照しながら、画像表示領域１０ａを構成する複数の画素部の電気的な構成を説明する。尚、以下では、出射可能な色光毎に複数の画素部の夫々を区別して説明しない場合には、参照符号として画素部に７２を付し、色光毎に区別して説明する場合には、出射可能な色光に応じて画素部に７２Ｒ、７２Ｇ、及び７２Ｂの参照符号を付している。
【００５９】
図４において、画像表示領域１０ａを構成する複数の画素部７２は、画像表示領域１０ａにおいて図４中のＸ方向及びＹ方向に沿ってマトリクス状に形成されている。画素部７２は、画素電極９ａ、トランジスタ素子３０、及び、液晶素子５０ａを備えている。トランジスタ素子３０は、画像信号が供給されるデータ線６ａと、画素電極９ａとに電気的に接続されている。トランジスタ素子３０は、液晶装置１の動作時に画素電極９ａをスイッチング制御する画素スイッチング用ＴＦＴである。データ線６ａに書き込む画像信号Ｓ１、Ｓ２、・・・、Ｓｎは、この順に線順次に供給しても構わないし、相隣接する複数のデータ線６ａ同士に対して、グループ毎に供給するようにしてもよい。
【００６０】
トランジスタ素子３０のゲートに走査線３ａが電気的に接続されており、液晶装置１は、所定のタイミングで、走査線３ａにパルス的に走査信号Ｇ１、Ｇ２、・・・、Ｇｍを、この順に線順次で印加するように構成されている。画素電極９ａは、トランジスタ素子３０のドレインに電気的に接続されており、スイッチング素子であるトランジスタ素子３０を一定期間だけそのスイッチを閉じることにより、データ線６ａから供給される画像信号Ｓ１、Ｓ２、・・・、Ｓｎが所定のタイミングで書き込まれる。画素電極９ａを介して液晶に書き込まれた所定レベルの画像信号Ｓ１、Ｓ２、・・・、Ｓｎは、対向基板に形成された対向電極との間で一定期間保持される。
【００６１】
液晶層５０に含まれる液晶は、印加される電圧レベルにより分子集合の配向や秩序が変化することにより、照射光Ｌ２（図１参照）を変調し、階調表示を可能とする。ノーマリーホワイトモードであれば、各画素部単位で印加された電圧に応じて照射光Ｌ２に対する透過率が減少し、ノーマリーブラックモードであれば、各画素部７２の単位で印加された電圧に応じて照射光Ｌ２に対する透過率が増加され、全体として液晶装置１からは画像信号に応じたコントラストを持つ光が出射される。
【００６２】
特に、画像表示領域１０ａには、各画素部７２における画素電極９ａの電位及び対向電極２１の固定電位の電位差に応じて液晶に印加された電圧と、複数のサブフィールドにおいて画素部７２に印加された電圧の組み合わせとに応じて、１フレームを構成する各フィールドにおける画素部の輝度が設定される。蓄積容量７０は、固定電位線３００に電気的に接続されており、画像信号がリークすることを防ぐために、画素電極９ａと対向電極２１との間に形成される液晶素子５０ａと並列に付加されている。
【００６３】
複数の画素部７２は、赤色光、緑色光、及び青色光の夫々を透過させる画素部７２Ｒ、７２Ｇ、及び７２Ｂから構成されており、これら３種類の画素部７２Ｒ、７２Ｇ、及び７２Ｂが、カラー表示可能な一組の表示単位を構成している。
【００６４】
部分領域１６０ａは、本発明の「一の部分領域」の一例であり、画素部７２Ｒ、７２Ｇ、及び７２Ｂの夫々を２つずつ含む一群の画素部群から構成されている。部分領域１６０ｂは、本発明の「他の部分領域」の一例であり、部分領域１６０ａと同様に、画素部７２Ｒ、７２Ｇ、及び７２Ｂの夫々を２つずつ含む一群の画素部群から構成されている。したがって、部分領域１６０ａを構成する画素部７２Ｒ、７２Ｇ、及び７２Ｂが、本発明の「複数の第１画素部」の一例であり、部分領域１６０ｂを構成する画素部７２Ｒ、７２Ｇ、及び７２Ｂが、本発明の「複数の第２画素部」の一例である。
【００６５】
図１に示した照射光Ｌ２のうち、液晶装置１におけるＴＦＴアレイ基板１０側から部分領域１６０ａに入射する光が、本発明の「第１照射光」の一例であり、照射光Ｌ２のうち、液晶装置１におけるＴＦＴアレイ基板１０側から部分領域１６０ｂに入射する光が、本発明の「第２照射光」の一例である。これら部分領域１６０ａ及び１６０ｂの夫々に入射する照射光は、各部分領域１６０ａ及び１６０ｂに対応する絞り機構１５０によって相互に独立して光量が調整されている。
【００６６】
部分領域１６０ａ及び１６０ｂの夫々は、部分領域１６０ａ及び１６０ｂの夫々を構成する画素部７２Ｒ、７２Ｇ、及び７２Ｂの動作に応じて、赤色光、緑色光、及び青色光のうち少なくとも２種類の色光からなる混色光を出射可能である。また、部分領域１６０ａ及び１６０ｂの夫々は、赤色光、緑色光、及び青色光を単色の色光として出射することも可能である。ここで、画像信号Ｓｉ（ｉ＝１、・・・、ｎ）のうち、部分領域１６０ａを構成する画素部７２Ｒ、７２Ｇ、及び７２Ｂに対して所定のタイミング、より具体的には、走査信号Ｇｊ（ｊ＝１、・・・、ｍ）のうち所定の走査信号に応じて、書き込まれる画像信号が、本発明の「第１画像信号」の一例である。このような画像信号に応じて、部分領域１６０ａから出射されるべき赤色光、緑色光、及び青色光の夫々が、本発明の「複数種の第１色光」の一例であり、これら色光が単色光で、或いは混色光として部分領域１６０ａからスクリーン１５８に出射されるべき光が、本発明の「第１出射光」の一例である。また、部分領域１６０ａと同様に、プロジェクタ１２０の動作時において、部分領域１６０ｂから出射される光が、本発明の「第２出射光」の一例である。
【００６７】
尚、各部分領域１６０は、赤色光、緑色光、及び青色光を出射可能な３つの画素部７２Ｒ、７２Ｇ、及び７２Ｂを一組と画素部群から構成されていてもよいし、当該部分領域１６０の夫々を構成する画素部の個数が部分領域１６０相互で異なっていてもよい。
【００６８】
次に、図５を参照しながら、液晶装置モジュール１００の電気的な接続構成を説明する。
【００６９】
図５において、液晶装置モジュール１００は、画像信号供給回路３００、タイミング制御回路４００、本発明の「特定手段」の一例である特定回路５００、本発明の「補正手段」の一例である画像信号補正回路６２０、制御信号処理回路６３０、絞り機構制御回路６２１、絞り機構１５０、光源制御回路６２２、光源用電源６２３、バックライト１５９、及び液晶装置１を備えて構成されている。
【００７０】
液晶装置１は、データ線駆動回路１０１、走査線駆動回路１０４、及び表示部１１０を備えて構成されている。表示部１１０は、その画像表示領域１０ａに配列された複数の画素部７２から構成されている。
【００７１】
タイミング制御回路４００は、各部で使用される各種タイミング信号を出力するように構成されている。より具体的には、タイミング制御回路４００の一部であるタイミング信号出力手段により、最小単位のクロックであり各画素を走査するためのドットクロックが作成され、このドットクロックに基づいて、Ｙクロック信号ＣＬＹ、反転Ｙクロック信号ＣＬＹｉｎｖ、Ｘクロック信号ＣＬＸ、反転Ｘクロック信号ＸＣＬｉｎｖ、ＹスタートパルスＤＹ及びＸスタートパルスＤＸが生成される。
【００７２】
尚、複数の画素部７２から構成される表示部１１０にデータ線をプリチャージするプリチャージ信号供給回路が液晶装置１の一部として、或いはその外部回路として設けられている場合、タイミング制御回路４００は、当該プリチャージ信号供給回路を駆動するためのプリチャージ用選択信号ＮＲＧを表示部１１０に供給してもよい。このようなプリチャージ信号供給回路は、画像信号ＶＩＤの電圧の極性に対応させ、且つ基準電位である固定電位に対して正極性及び負極性の夫々に対応したプリチャージ信号を表示部１１０に供給してもよい。
【００７３】
画像信号供給回路３００は、画像信号ＶＩＤを生成し、当該画像信号ＶＩＤを画像信号補正回路６２０及び特定回路５００に供給する。尚、説明の便宜上、部分領域１６０ａを構成する複数の画素部７２に供給される複数の画像信号Ｓｉを一括して画像信号ＶＩＤと表記している。
【００７４】
特定回路５００は、部分領域１６０ａを構成する複数の画素部７２に供給される画素信号ＶＩＤを解析する。部分領域１６０ａを構成する複数の画素部７２の夫々がこれら複数の画像信号ＶＩＤの夫々に基づいて駆動されるため、部分領域１６０ａから当該画像信号ＶＩＤに基づいて出射されるべき出射光を構成する光、即ち、部分領域１６０ａから出射される赤色光、緑色光、及び青色光の夫々の光強度であるスペクトルが解析される。
【００７５】
より具体的には、例えば、特定回路５００は、例えば、部分領域１６０ａを構成する各画素部７２に供給される画像信号ＶＩＤを解析することによって、当該画像信号に基づいて複数の画素部７２の夫々から出射される赤色光、緑色光、及び青色光の夫々について、階調値を横軸、輝度を縦軸に取ったヒストグラムを作成する。特定回路５００は、当該作成されたヒストグラムデータに基づいて、部分領域１６０ａにおいて出射されるべき赤色光、緑色光、及び青色光の夫々の光強度を特定する。このような解析は、画像信号ＶＩＤによって部分領域１６０ａにおける画素部７２が駆動されるに先んじて実行され、解析結果に関するデータＤ１が画像信号補正回路６２０に供給される。
【００７６】
特定回路５００は、部分領域１６０ａを構成する各画素部７２に供給される画像信号ＶＩＤを解析することによって得られた解析結果に基づいて、絞り機構制御回路６２１及び光源制御回路６２２の夫々に制御信号Ｃ１及びＣ２の夫々を供給する。
【００７７】
絞り機構制御回路６２１は、複数の絞り機構１５０を駆動する駆動信号Ｃ３を供給する。複数の絞り機構１５０は、部分領域１６０ａから出射されるべき出射光が出射されるように、調整光Ｌ１に含まれる赤色光、緑色光、及び青色光等の各色光の光量を調整し、照射光Ｌ２を液晶装置１に照射する。
【００７８】
光源制御回路６２２は、制御信号Ｃ２の供給に応じて、光源用電源６２３に制御信号Ｃ３を供給する。光源用電源６２３は、制御信号Ｃ３に基づいて、バックライト１５９に含まれる複数の光源１５１Ｒ、１５１Ｇ、及び１５１Ｂに駆動電流を供給する。
【００７９】
画像信号補正回路６２０は、特定回路５００から供給されたデータＤ１に基づいて、画像信号ＶＩＤを補正し、当該補正された画像信号ＶＩＤｃを液晶装置１に供給する。このような画像信号補正回路６２０は、部分領域１６０ａから出射される赤色光、緑色光、及び青色光の夫々の光強度が、部分領域１６０ｂから出射される光を構成する赤色光、緑色光、及び青色光の夫々の光強度に近づくように、第１画像信号を補正可能である。
【００８０】
より具体的には、部分領域１６０ａ及び１６０ｂの夫々において表示される部分画像は、カラー表示可能であるため、例えば、部分領域１６０ａ及び部分領域１６０ｂの夫々に表示される部分画像が、互いに同じ色合いで表示されるべき部分画像である場合、画像信号ＶＩＤｃに応じて部分領域１６０ａに部分画像が表示されることによって、部分領域１６０ａ及び１６０ｂ相互で部分画像の色合いを近づけることが可能である。即ち、画像表示領域１０ａを構成する部分領域１６０毎に画像信号ＶＩＤを補正することによって、部分領域１６０毎に表示すべき部分画像が画像信号に応じた狙いの色合いで表示可能になるだけでなく、部分領域１６０の夫々に表示される部分画像相互の色合いも揃えることが可能である。特に、互いに隣接する部分領域１６０間では、部分画像の色合いを揃えることによって、画像信号に応じて一様な色合いで画像を表示可能であり、部分画像相互の色むらが低減可能になる。
【００８１】
加えて、複数の光源１５１から出射された、赤色光、緑色光、及び青色光の各色光を含む光源光は、調整光Ｌ１として絞り機構１５０に入射し、部分領域１６０毎に光量が絞られた照射光として、各部分領域１６０に入射する。したがって、部分領域１６０ａから出射される光を構成する赤色光、緑色光、及び青色光のうち、赤色光の光強度が他の緑色光及び青色光の光強度より大きい値で出射されるべき場合、即ち、部分領域１６０ａに赤色、或いは赤みがかった色の部分画像が表示される場合には、赤色光の光強度が相対的に大きくなるように、他の緑色光及び青色光の夫々の光量を絞り機構１５０によって絞っておくことも可能である。
【００８２】
このように、液晶装置モジュール１００によれば、バックライト１５９から光源光がそのまま部分領域１６０ａに入射するのではなく、照射光Ｌ２として照射されるため、画像信号ＶＩＤを補正するのみ、或いは光源１５１から出射される光源光を調整光Ｌ１として部分領域１６０ａの複数の画素部７２に照射するのみに比べて、画像信号ＶＩＤに基づいて部分領域１６０ａから本来出射されるべき光に近い色合いの光が出射可能であることに加え、複数の部分領域１６０の夫々に表示される部分画像相互に生じる色むらをより効果的に低減可能である。加えて、部分領域１６０から出射される出射光によって表示される部分画像の色純度を高めることも可能である。
【００８３】
次に、図６を参照しながら、画像信号ＶＩＤを補正する際に補正の目標とされる条件を説明する。尚、図６には、ノーマリーホワイトモードで駆動される画素部７２の透過率及び印加電圧相互の関係を示す特性線が示されている。
【００８４】
図６に示すように、画素部７２では、画素部７２に供給された画像信号に応じて画素電極９ａ及び対向電極２１に生じる電圧が、液晶素子５０ａに印加電圧として印加され、画素部７２における光の透過率が制御可能になっている。
【００８５】
画像信号補正回路６２０は、液晶素子５０ａに印加される印加電圧Ｖと、照射光Ｌ２のうち部分領域１６０ａを構成する画素部７２が備える液晶素子５０ａを透過する透過光の透過率との相互関係を規定する電圧・透過率特性線ＣＬのうち印加電圧Ｖに対する透過率Ｔの変化率が直線的に変化する範囲、即ち、図中印加電圧Ｖ１及びＶ２間のΔＶの電圧範囲において液晶素子５０ａが駆動されるように、画像信号ＶＩＤを補正する。
【００８６】
このように画像信号補正回路６２０が画像信号ＶＩＤを補正することによって、特性線ＣＬ上において、透過率Ｔが印加電圧Ｖに対して直線的に変化する範囲の両端側の範囲、より具体的には、印加電圧Ｖに対して液晶の配向が飽和してしまう範囲を避けた範囲で、部分領域１６０ａを構成する画素部７２における透過率Ｔの調整が可能である。補正された画像信号ＶＩＤｃによれば、画像信号ＶＩＤに基づいて部分領域１６０ａに表示されるべき部分画像の色合いに近い色合いで部分領域１６０ａに部分画像を表示可能である。
【００８７】
以上説明したように、本実施形態に係る液晶装置モジュール１００によれば、部分領域１６０ａに表示される部分画像の色合いを画像信号ＶＩＤに基づいて表示されるべき本来の部分画像の色合いに近づけることができることに加え、部分領域１６０ａ及び１６０ｂに渡って表示される部分画像の色むらを低減可能である。
【００８８】
特に、本実施形態に液晶装置モジュール１００によれば、画像表示領域１０ａ全体で画像の色合いを調整するのではなく、画像表示領域１０ａを構成する複数の部分領域１６０の夫々において当該部分領域の夫々に表示される部分画像の色合いを調整できることから、画像表示領域１０ａ全体で画像の色合いを調整する場合に比べて、より細かい色合いの調整が可能である。
【００８９】
したがって、本実施形態に係る液晶装置モジュール１００発によれば、単に画像信号ＶＩＤを補正する場合のみ、或いは、光源光を調整する場合のみに比べて、高品位の画像を画像表示領域１０ａに表示できる。これに伴い、プロジェクタ１２０によってスクリーン１５８に表示される画像の表示品位も高めることが可能である。
【００９０】
（変形例）
次に、図７を参照しながら、本実施形態に係る液晶装置モジュールの変形例、及び当該変形例に係る液晶装置モジュールを備えたプロジェクタを説明する。図７は、本例に係る液晶装置モジュール１００ａ、及び液晶装置モジュール１００ａを具備してなるプロジェクタ１２０ａの構成を図式的に示した図である。尚、以下では、上述の液晶装置モジュール１００及びプロジェクタ１２０と共通する部分に共通の参照符号を付し、詳細な説明を省略する。加えて、図７では、上述の液晶装置モジュール１００及びプロジェクタ１２０と、本例に係る液晶装置モジュール１００ａ及びプロジェクタ１２０ａとの相違点を主に図示している。
【００９１】
図７において、液晶装置モジュール１００ａは、複数の光源光生成装置１５３ａ、１５３ｂ、及び１５３ｃ、並びに制御装置１５６を備えている点で上述の液晶装置モジュール１００と相違する。
【００９２】
複数の光源光生成装置１５３ａ、１５３ｂ、及び１５３ｃは、制御装置１５６と共に、本発明の第１の発明の「光源手段」の一例を構成している。
【００９３】
複数の光源光生成装置１５３ａ、１５３ｂ、及び１５３ｃの夫々は、赤色光、緑色光、及び青色光の夫々の光源光を出射する光源１５１Ｒ、１５１Ｇ、及び１５１Ｂ、並びにリフレクタ１５２を備えて構成されている。複数の光源光生成装置１５３ａ、１５３ｂ、及び１５３ｃの夫々は、液晶装置１の画像表示領域１０ａを構成する複数の部分領域１６０の夫々に対応して配置されており、これら光源光生成装置１５３ａ、１５３ｂ、及び１５３ｃの夫々から出射された調整光が照射光Ｌ２として、各光源光生成装置に対応する部分領域１６０に照射される。
【００９４】
制御装置１５６は、複数の部分領域１６０の夫々を構成する画素部７２に供給される画像信号に基づいて、光源１５１Ｒ、１５１Ｇ、及び１５１Ｂの夫々の光強度が適切な値となるように、複数の光源光生成装置１５３ａ、１５２ｂ、及び１５３ｃの駆動を制御する。より具体的には、各部分領域１６０に表示される部分画像の色合いが、画像信号ＶＩＤに基づいて本来部分領域１６０に表示されるべき部分画像の色合いとなるように、制御装置１５６の制御下で、複数の光源光生成装置１５３ａ、１５３ｂ、及び１５３ｃの夫々の駆動が相互に独立に制御される。
【００９５】
例えば、上述の液晶装置モジュール１００と同様に、例えば、光源光生成装置１５３ａが部分領域１６０ａに対応している場合には、部分領域１６０ａに表示される部分画像の色合いが、部分領域１６０ｂに表示される部分画像の色合いに近づくように、光源光生成装置１５３ａの駆動が制御される。
【００９６】
したがって、本例に係る液晶装置モジュール１００ａによれば、各部分領域１６０の夫々に照射される照射光Ｌ２を構成する色光毎にその光量を制御回路１５６等の制御手段によって調整可能であり、各部分領域１６０において表示される部分画像の色合いを各画像信号に応じて表示されるべき部分画像の色合いに近い色合いにすることができる。
【００９７】
加えて、部分領域１６０ａ及び部分領域１６０ｂの夫々に同じ色合いの部分画像が表示されるべき場合でも、部分領域１６０ａ及び部分領域１６０ｂに渡って表示される部分画像をこれら部分領域に渡って一様な色合いにすることが可能である。
【００９８】
（第２実施形態）
次に、図８及び図９を参照しながら、本発明の第２の発明に係る電気光学装置及びそのような電気光学装置を具備してなる電子機器の各実施形態を説明する。図８は、本実施形態に係る有機ＥＬ装置の電気的な構成を示したブロック図である。図９は、本実施形態に係る有機ＥＬ装置の画像表示領域の一部の構成を具体的に示した平面図である。
【００９９】
図８において、有機ＥＬ装置２００の全体構成を示すブロック図である。有機ＥＬ装置２００は、駆動回路内蔵型のアクティブマトリクス駆動方式で駆動される表示装置であり、画素部１７０Ｒ、１７０Ｇ及び１７０Ｂを一組とするカラー表示可能な複数の単位画素部群１７１、走査線駆動回路１０４、データ線駆動回路１０１、本発明の「特定手段」の一例である特定回路１９２、本発明の「補正手段」の一例である画像信号補正回路１９１、並びに、画像信号供給回路１９０を備えて構成されている。
【０１００】
有機ＥＬ装置２００の画像表示領域２１０には、縦横に配線されたデータ線１１４及び走査線１１２が設けられており、それらの交点に対応する各画素部１７０Ｒ、１７０Ｇ、及び１７０Ｂがマトリクス状に配列されている。画素部１７０Ｒ、１７０Ｇ及び１７０Ｂの夫々は、赤色光（Ｒ）、緑色光（Ｇ）及び青色光（Ｂ）の各色の光を出射可能な光源として有機ＥＬ素子１７２Ｒ、１７２Ｇ、及び１７２Ｂを有している。したがって、有機ＥＬ装置２００は、画像表示領域２１０にカラー画像を表示可能である。
【０１０１】
画素表示領域２１０には各データ線１１４に対して配列された画素部１７０Ｒ、１７０Ｇ及び１７０Ｂに対応する電源供給線１１７が設けられている。
【０１０２】
走査線駆動回路１０４及びデータ線駆動回路１０１は、画素表示領域２１０の周辺に位置する周辺領域に設けられている。走査線駆動回路１０４は複数の走査線１１２に走査信号を順次供給する。データ線駆動回路１０１は、画像表示領域２１０に配線されたデータ線１１４に画像信号を供給する。尚、走査線駆動回路１０４の動作とデータ線駆動回路１０１の動作とは、同期信号線１６０を介して相互に同期が図られる。
【０１０３】
電源供給線１１７には、外部回路から画素部１７０Ｒ、１７０Ｇ、及び１７０Ｂの夫々を駆動するための画素駆動用電源が供給される。画素部７０Ｒ、１７０Ｇ、及び１７０Ｂの夫々は、ＴＦＴを用いて構成されるスイッチング用トランジスタ１７６及び駆動用トランジスタ１７４、並びに保持容量１７８を有している。スイッチング用トランジスタ１７６のゲート電極には走査線１１２が電気的に接続されており、スイッチング用トランジスタ１７６のソース電極にはデータ線１１４が電気的に接続され、スイッチング用トランジスタ１７６のドレイン電極には駆動用トランジスタ１７４のゲート電極が電気的に接続されている。駆動用トランジスタ１７４のドレイン電極には、電源供給線１１７が電気的に接続されており、駆動用トランジスタ１７４のソース電極には有機ＥＬ素子１７２Ｒ、１７２Ｇ、及び１７２Ｂの夫々の陽極が電気的に接続されており、各有機ＥＬ素子が発光可能に構成されている。
【０１０４】
画像信号供給回路１９０は、液晶装置モジュール２００の動作時に、画像信号補正回路１９１及び特定回路１９２の夫々に画像信号ＶＩＤを供給する。
【０１０５】
特定回路１９２は、上述の液晶装置モジュール１００と同様に、画像信号供給回路１９０から供給された画像信号ＶＩＤを解析し、その解析結果を含むデータＤ１を画像信号補正回路１９１に供給する。特定回路１９２は、後述するように、画像表示領域２１０を構成する複数の部分領域の一の部分領域から出射されるべき出射光に含まれる赤色光、緑色光、及び青色光の夫々の光強度を特定する。
【０１０６】
画像信号補正回路１９１は、データＤ１に基づいて、画像信号ＶＩＤを補正し、補正された画像信号ＶＩＤｃをデータ線駆動回路１０１に供給する。画像信号補正回路１９１は、後述するように、画像表示領域２１０を構成する複数の部分領域の一の部分領域から出射される出射光を構成する赤色光、緑色光、及び青色光の夫々に光強度が、他の部分領域から出射される出射光を構成する赤色光、緑色光、及び青色光の夫々の光強度に近づくように、当該一の部分領域を構成する画素部に供給される画像信号ＶＩＤを画像信号ＶＩＤｃに補正している。
【０１０７】
図９において、画像表示領域２１０は、複数の部分領域２６０から構成されている。複数の部分領域２６０の夫々は、画素部１７０Ｒ、１７０Ｇ、及び１７０Ｂの夫々を含んで構成されている。本実施形態では、部分領域２６０は、画素部１７０Ｒ、１７０Ｇ、及び１７０Ｂを一組含んで構成されている。したがって、有機ＥＬ装置２００の動作時に、各部分領域２６０は、赤色光、緑色光、及び青色光の少なくとも２つの色光を含んでなる混色光、或いは、これら色光を単色光として出射可能である。
【０１０８】
尚、このような部分領域２６０は、本実施形態のように、赤色光、緑色光及び青色光の夫々を出射する３つの画素部１７０Ｒ、１７０Ｇ及び１７０Ｂが一組の画素部群１７１を構成し、当該画素部群１７１が一の部分領域２６０を構成していてもよいし、複数の画素部群によって一つの部分領域が構成されていてもよい。また、互いに異なる複数の部分領域２６０相互において、これら部分領域２６０の夫々に含まれる画素部群１７１の群数が異なっていてもよい。
【０１０９】
複数の部分領域２６０のうち、本発明の「一の部分領域」の一例である部分領域２６０ａから有機ＥＬ装置２００の動作時に出射される出射光が、本発明の「第１出射光」の一例であり、本発明の「他の部分領域」の一例である部分領域２６０ｂから出射される出射光が、本発明の「第２出射光」の一例である。したがって、有機ＥＬ装置２００の動作時に、部分領域２６０ａから出射されるべき出射光を構成する赤色光、緑色光、及び青色光が、本発明の「複数種の第１色光」の一例であり、部分領域２６０ｂから出射される出射光を構成する赤色光、緑色光、及び青色光が本発明の「複数種の第２色光」の一例である。
【０１１０】
有機ＥＬ装置２００では、部分領域２６０ａ及び２６０ｂに表示される部分画像の色合いが相互に等しく表示されるように、画像信号補正回路１９１及び特定回路１９２の動作により、本発明の「第１画像信号」の一例である、部分領域２６０ａの画素部に供給される画像信号ＶＩＤを補正することによよって、部分領域２６０ａから出射される赤色光、緑色光、及び青色光の夫々の光強度が調整される。即ち、有機ＥＬ装置２００によれば、画像表示領域２１０を構成する部分領域２６０相互で独立して、各部分領域２６０に表示される部分画像の色合いを調整可能である。加えて、部分領域２６０ａだけでなく、他の部分領域２６０でも部分領域２６０ａと同様に部分画像の色合いを調整可能である。
【０１１１】
したがって、有機ＥＬ装置２００によれば、上述の液晶装置モジュール１００と同様に、互いに異なる部分領域２６０の夫々に表示される部分画像相互の色むらが低減可能になり、画像表示領域２１０に表示される画像の表示品位を高めることが可能になる。
【０１１２】
特に、本実施形態に係る有機ＥＬ装置２００によれば、上述の液晶装置モジュール１００と同様に、画像表示領域２１０全体で画像の色合いを調整するのではなく、画像表示領域２１０を構成する複数の部分領域２６０の夫々において当該部分領域の夫々に表示される部分画像の色合いを独立して調整できることから、より細かい色合いの調整が可能であり、高品位の画像を画像表示領域２１０に表示できる。
【０１１３】
加えて、有機ＥＬ装置２００によれば、上述の液晶装置モジュール１００と同様に、部分領域２６０に表示される部分画像の色純度を高めることも可能である。
【０１１４】
次に、図１０及び図１１を参照しながら、上述の有機ＥＬ装置２００を具備してなる各種電子機器を説明する。図１０は、本実施形態に係る電子機器の一例であるモバイル型コンピュータの構成を示した斜視図である。図１１は、本実施形態に係る電子機器の他の例であって、上述した有機ＥＬ装置を具備してなる携帯型電話機の構成を示した斜視図である。
【０１１５】
図１０において、コンピュータ１２００は、キーボード１２０２を備えた本体部１２０４と、図示しない有機ＥＬ装置を用いて構成された表示部１００５を有する表示ユニット１２０６とを備えている。表示部１００５は、赤、緑、青の光の三原色の光を出射可能であり、フルカラー表示で画像を表示できる。表示部１００５は、その画像表示領域を構成する部分領域毎に部分画像の色合いを調整可能であるため、高品位で画像を表示できる。
【０１１６】
図１１において、携帯型電話機１３００は、複数の操作ボタン１３０２と共に、上述の有機ＥＬ装置２００を有する表示部１３０５を備える。表示部１３０５は、フルカラー表示で画像を表示でき、上述の表示部１００５と同様に高品質の画像を表示することができる。
【図面の簡単な説明】
【０１１７】
【図１】本発明の第１の発明に係る電気光学装置を具備してなる電子機器の一例の構成を図式的に示した図である。
【図２】本発明の第１の発明に係る電気光学装置の一実施形態である液晶装置モジュールの一部を構成する液晶装置の平面図である。
【図３】図１のＩＩＩ−ＩＩＩ´断面図である。
【図４】本発明の第１の発明に係る電気光学装置の一実施形態である液晶装置モジュールの一部を構成する液晶装置の表示部における電気的な構成を示した回路図である。
【図５】本発明の第１の発明に係る電気光学装置の一実施形態である液晶装置モジュールの電気的な構成を示したブロック図である。
【図６】液晶素子に印加される印加電圧及び透過率の相互関係（ノーマリーホワイト）の一例を示した特性図である。
【図７】本発明の第１の発明に係る電気光学装置の変形例を備えた電子機器の構成を図式的に示した図である。
【図８】本発明の第２の発明に係る電気光学装置の一例である有機ＥＬ装置の電気的に構成を示したブロック図である。
【図９】本発明の第２の発明に係る電気光学装置の一例である有機ＥＬ装置の表示部の一部の具体的な構成を示した平面図である。
【図１０】本発明の第２の発明に係る電気光学装置を具備してなる電子機器の一例を示す斜視図である。
【図１１】本発明の第２の発明に係る電気光学装置を具備してなる電子機器の他の例を示す斜視図である。
【符号の説明】
【０１１８】
１・・・液晶装置、７２，７２Ｒ，７２Ｇ，７２Ｂ，１７２Ｒ，１７２Ｇ，１７２Ｂ・・・画素部、１００，１００ａ・・・液晶装置モジュール、１５０・・・絞り機構、１５３ａ，１５３ｂ，１５３ｃ・・・光源光生成装置、１５６・・・制御装置、１５９・・・バックライト、１９２，５００・・・特定回路、１９１，６２０画像信号補正回路
【図１】
2009109706.tif 000003
【図２】
2009109706.tif 000004
【図３】
2009109706.tif 000005
【図４】
2009109706.tif 000006
【図５】
2009109706.tif 000007
【図６】
2009109706.tif 000008
【図７】
2009109706.tif 000009
【図８】
2009109706.tif 000010
【図９】
2009109706.tif 000011
【図１０】
2009109706.tif 000012
【図１１】
2009109706.tif 000013